(57)【特許請求の範囲】
【請求項１】
可聴音信号と情報信号とを送信側から伝送路を介して受信側に伝達する情報伝達方法において、
それぞれ可聴音信号（１）を伝送する複数のチャネルを設け、
送信側では、
該各チャネル上の可聴音信号（１）と機械を動作させる機械動作信号（２）とを各チャネルごとに電気的に合成し、
該各チャネルごとに電気的に合成された合成電気信号を伝送路に送出し、
受信側では、
該伝送路から前記チャネルごとの合成電気信号を受信し、該合成電気信号から各チャネルごとに信号（２）を抽出し、
該各チャネルごとに抽出された信号（２）について多数決判定を行い、
該多数決判定の結果によって機械を動作させることを特徴とする情報伝達方法。
【請求項２】
送信側で各チャネル上の可聴音信号（１）と機械を動作させる機械動作信号（２）とを各チャネルごとに電気的に合成する方法は、
各チャネルごとにフィルタを設け、
信号（２）の２値の極性に応じて、可聴音信号（１）をフィルタを通過させるか否かをチャネルごとに定めて行うものであり、
受信側で各チャネルごとの合成電気信号から信号（２）を抽出する方法は、
各チャネルごとの合成電気信号を、それぞれ前記送信側のフィルタとほぼ等しい遮断周波数のフィルタを通過させてその出力から信号（２）を抽出するものである請求項１記載の情報伝達方法。
【請求項３】
可聴音信号と情報信号とを送信側から伝送路を介して受信側に伝達する情報伝達方法において、
それぞれ可聴音信号（１）を伝送する２つのチャネルを設け、
送信側では、
信号（１）を各チャネルごとにローパスフィルタとハイパスフィルタとに同時に入力し、
両ハイパスフィルタを通過した２チャネルの信号を合成し、
該合成した信号を利得制御可能な２つの増幅器に入力し、
該２つの増幅器の利得を、機械を動作させる機械動作信号（２）に応じて、相補的に制御した後、
相補的に制御した２つの出力信号とローパスフィルタを通過した２チャネルの信号とをそれぞれ電気的に合成し、
それぞれ電気的に合成された合成電気信号を伝送路に送出し、
受信側では、
該伝送路から前記合成電気信号を受信し、
受信した前記合成電気信号を各チャネルごとに、それぞれ前記送信側のハイパスフィルタとほぼ等しい遮断周波数のハイパスフィルタに入力し、
両ハイパスフィルタを通過した２チャネルの信号を比較し、
その結果に応じて信号（２）を抽出し、
抽出された信号（２）によって機械を動作させることを特徴とする情報伝達方法。
【請求項４】
可聴音信号と情報信号とを送信装置から伝送路を介して受信装置に伝達する情報伝達装置において、
それぞれ可聴音信号（１）を伝送する複数のチャネルにおける各チャネル上の可聴音信号（１）と機械を動作させる機械動作信号（２）とを各チャネルごとに電気的に合成する信号合成手段と、
該信号合成手段の出力である合成電気信号を各チャネルごとに伝送路に送出する手段と、を備えた送信装置と、
該伝送路から前記各チャネルごとの合成電気信号を受信する手段と、
該合成電気信号から各チャネルごとに信号（２）を抽出する信号抽出手段と、
該各チャネルごとに抽出された信号（２）について多数決判定を行う多数決論理部と、を備え、
該多数決判定の結果で機械を動作させる受信装置と、
から構成したことを特徴とする情報伝達装置。
【請求項５】
前記送信装置における前記信号合成手段は、
各チャネルごとに設けたフィルタと、
信号（２）の２値の極性に応じて、可聴音信号（１）を該フィルタを通過させるか否かをチャネルごとに切替える手段と、を有し、
前記受信装置における前記信号抽出手段は、
各チャネルごとに設けた、それぞれ前記送信装置のフィルタとほぼ等しい遮断周波数のフィルタと、
その出力から信号（２）を抽出する手段と、を有する
請求項４記載の情報伝達装置。
【請求項６】
可聴音信号と情報信号とを送信装置から伝送路を介して受信装置に伝達する情報伝達装置において、
それぞれ可聴音信号（１）を伝送する２つのチャネルにおける信号（１）を入力する各チャネルごとのローパスフィルタとハイパスフィルタと、
該両ハイパスフィルタを通過した２チャネルの信号を合成する第１のミキサと、
該合成した信号を入力する利得制御可能な２つの増幅器と、
該２つの増幅器の利得を、機械を動作させる機械動作信号（２）に応じて、相補的に制御する増幅器制御信号生成部と、
相補的に制御した２つの出力信号とローパスフィルタを通過した２チャネルの信号とをそれぞれ電気的に合成する第２のミキサと、
それぞれ電気的に合成された合成電気信号を伝送路に送出する手段と、を備えた送信装置と、
該伝送路から前記合成電気信号を受信する手段と、
受信した前記合成電気信号を各チャネルごとに入力する、それぞれ前記送信装置のハイパスフィルタとほぼ等しい遮断周波数のハイパスフィルタと、
該両ハイパスフィルタを通過した２チャネルの信号を比較して、その結果に応じて信号（２）を抽出する比較器と、を備え、
抽出された信号（２）によって機械を動作させる受信装置と、
から構成したことを特徴とする情報伝達装置。
【請求項７】
可聴音信号と情報信号とを送信装置から伝送路を介して受信装置に伝達する情報伝達装置を構成する前記送信装置において、
それぞれ可聴音信号（１）を伝送する複数のチャネルにおける各チャネル上の可聴音信号（１）と機械を動作させる機械動作信号（２）とを各チャネルごとに電気的に合成する信号合成手段と、
該信号合成手段の出力である合成電気信号を各チャネルごとに伝送路に送出する手段と、を備え、
該伝送路から前記各チャネルごとの合成電気信号を受信する手段と、
該合成電気信号から各チャネルごとに信号（２）を抽出する信号抽出手段と、
該各チャネルごとに抽出された信号（２）について多数決判定を行う多数決論理部と、を備え、該多数決判定の結果で機械を動作させる受信装置によって前記合成電気信号を受信される送信装置。
【請求項８】
可聴音信号と情報信号とを送信装置から伝送路を介して受信装置に伝達する情報伝達装置を構成する前記受信装置において、
それぞれ可聴音信号（１）を伝送する複数のチャネルにおける各チャネル上の可聴音信号（１）と機械を動作させる機械動作信号（２）とを各チャネルごとに電気的に合成する信号合成手段と、
該信号合成手段の出力である合成電気信号を各チャネルごとに伝送路に送出する手段と、を備えた送信装置からの前記合成電気信号を受信し、
該伝送路から前記各チャネルごとの合成電気信号を受信する手段と、
該合成電気信号から各チャネルごとに信号（２）を抽出する信号抽出手段と、
該各チャネルごとに抽出された信号（２）について多数決判定を行う多数決論理部と、を備え、該多数決判定の結果で機械を動作させる受信装置。
【請求項９】
前記送信装置における前記信号合成手段は、
各チャネルごとに設けたフィルタと、
信号（２）の２値の極性に応じて、可聴音信号（１）を該フィルタを通過させるか否かをチャネルごとに切替える手段と、を有し、
前記受信装置における前記信号抽出手段は、
各チャネルごとに設けた、それぞれ前記送信装置のフィルタとほぼ等しい遮断周波数のフィルタと、
その出力から信号（２）を抽出する手段と、を有することを特徴とする請求項７記載の送信装置。
【請求項１０】
前記送信装置における前記信号合成手段は、
各チャネルごとに設けたフィルタと、
信号（２）の２値の極性に応じて、可聴音信号（１）を該フィルタを通過させるか否かをチャネルごとに切替える手段と、を有し、
前記受信装置における前記信号抽出手段は、
各チャネルごとに設けた、それぞれ前記送信装置のフィルタとほぼ等しい遮断周波数のフィルタと、
その出力から信号（２）を抽出する手段と、を有することを特徴とする請求項８記載の受信装置。
【請求項１１】
可聴音信号と情報信号とを送信装置から伝送路を介して受信装置に伝達する情報伝達装置を構成する前記送信装置において、
それぞれ可聴音信号（１）を伝送する２つのチャネルにおける信号（１）を入力する各チャネルごとのローパスフィルタとハイパスフィルタと、
該両ハイパスフィルタを通過した２チャネルの信号を合成する第１のミキサと、
該合成した信号を入力する利得制御可能な２つの増幅器と、
該２つの増幅器の利得を、機械を動作させる機械動作信号（２）に応じて、相補的に制御する増幅器制御信号生成部と、
相補的に制御した２つの出力信号とローパスフィルタを通過した２チャネルの信号とをそれぞれ電気的に合成する第２のミキサと、
それぞれ電気的に合成された合成電気信号を伝送路に送出する手段と、を備え、
該伝送路から前記合成電気信号を受信する手段と、
受信した前記合成電気信号を各チャネルごとに入力する、それぞれ前記送信装置のハイパスフィルタとほぼ等しい遮断周波数のハイパスフィルタと、
該両ハイパスフィルタを通過した２チャネルの信号を比較して、その結果に応じて信号（２）を抽出する比較器と、を備え、
抽出された信号（２）によって機械を動作させる受信装置によって前記合成電気信号を受信される送信装置。
【請求項１２】
可聴音信号と情報信号とを送信装置から伝送路を介して受信装置に伝達する情報伝達装置を構成する前記受信装置において、
それぞれ可聴音信号（１）を伝送する２つのチャネルにおける信号（１）を入力する各チャネルごとのローパスフィルタとハイパスフィルタと、
該両ハイパスフィルタを通過した２チャネルの信号を合成する第１のミキサと、
該合成した信号を入力する利得制御可能な２つの増幅器と、
該２つの増幅器の利得を、機械を動作させる機械動作信号（２）に応じて、相補的に制御する増幅器制御信号生成部と、
相補的に制御した２つの出力信号とローパスフィルタを通過した２チャネルの信号とをそれぞれ電気的に合成する第２のミキサと、
それぞれ電気的に合成された合成電気信号を伝送路に送出する手段と、を備えた送信装置からの前記合成電気信号を受信し、
該伝送路から前記合成電気信号を受信する手段と、
受信した前記合成電気信号を各チャネルごとに入力する、それぞれ前記送信装置のハイパスフィルタとほぼ等しい遮断周波数のハイパスフィルタと、
該両ハイパスフィルタを通過した２チャネルの信号を比較して、その結果に応じて信号（２）を抽出する比較器と、を備え、
抽出された信号（２）によって機械を動作させる受信装置。
【発明の詳細な説明】
【０００１】
【発明の属する技術分野】
本発明は、音波を搬送媒体とする信号伝送方法および音響信号伝達装置に関し、人間、または動植物が聞くことができる音（可聴音信号）と、同時にそれに付随する情報信号を機械（該情報信号によって制御すべき装置、あるいは、通信装置）に伝達する場合に用いられる技術に係る。
【０００２】
【従来の技術】
従来、人間、または動植物が聞くことができる音（可聴音信号）と、同時にそれに付随した情報信号を機械に伝達するような場合には、可聴音信号と、それに付随する情報信号は、それぞれ別々のチャネルで通信されていた。
【０００３】
例えば、可聴音信号と情報信号は、それぞれ電気信号として、搬送波を変調し、電波やケーブルなどの他の媒体を通して受信側に送られ、受信側で復調されて用いられていた。このような方式のものでは、可聴音信号と、該可聴音信号とは別の信号を、それぞれ送信するための送受信装置が必要となる。
【０００４】
すなわち合計２つ以上の装置が必要であり、全体の装置構成が複雑化することを避けられない。また、これとは別に、超音波を搬送波とする伝送方式が存在するが、超音波は人間の耳には聞こえないので、受信側で可聴音信号に変換する必要があり、上述のような用途には適用できない。
【０００５】
【発明が解決しようとする課題】
前述したような、人間、または動植物が聞くことができる音（可聴音信号）と、同時にそれに付随した情報信号を伝達するような系の、類似技術として、例えば、特開平８−３７５１１「双方向放送システムおよび受信システム」がある。この方式は、可聴音信号に対して、ＤＴＭＦ信号形式の信号を単純に重畳するものである。
【０００６】
しかしながら、この方法では、人間が本来聞く必要が無く、かつ興味の無い信号２が、そのまま雑音としてはっきり聞こえてしまう。従って非常に耳障りであるし、また、原音である可聴音信号の本来的な、意味を誤認識する可能性があった。
【０００７】
そのため、可聴音信号に２値信号を埋め込んで送信し、受信側では受信信号の中から埋め込まれている２値信号を読みだして機械を制御する方法が、本願発明者らによって提案され、本願出願人によって、平成１１年特許願第３２９９１４号として出願されている。
【０００８】
この方法は、音による情報転送手段として、非常に簡潔な構成で実現できる優れたものではあるが、一面、外部の騒音が非常に多いような環境下で用いる場合には、その影響を受けて機械の誤動作を生ずる恐れが全くないとは言い切れないという事情があった。
【０００９】
本発明は上述のような従来の課題に鑑み、人間、または動植物が聞くことができる音（可聴音信号）と、同時にそれに付随した情報信号を容易に確実に伝達することのできる手段を提供することを目的としている。
【００１０】
【課題を解決するための手段】
本願発明によれば、上述の課題は、前記「特許請求の範囲に記載した手段により解決される。すなわち、請求項１の発明は、可聴音信号と情報信号とを送信側から伝送路を介して受信側に伝達する情報伝達方法において、それぞれ可聴音信号（１）を伝送する複数のチャネルを設け、送信側では、該各チャネル上の可聴音信号（１）と機械を動作させる機械動作信号（２）とを各チャネルごとに電気的に合成し、該各チャネルごとに電気的に合成された合成電気信号を伝送路に送出し、受信側では、該伝送路から前記チャネルごとの合成電気信号を受信し、該合成電気信号から各チャネルごとに信号（２）を抽出し、該各チャネルごとに抽出された信号（２）について多数決判定を行い、該多数決判定の結果によって機械を動作させることを特徴とする情報伝達方法である。
【００１１】
請求項２の発明は、請求項１記載の情報伝達方法において、送信側で各チャネル上の可聴音信号（１）と機械を動作させる機械動作信号（２）とを各チャネルごとに電気的に合成する方法は、各チャネルごとにフィルタを設け、信号（２）の２値の極性に応じて、可聴音信号（１）をフィルタを通過させるか否かをチャネルごとに定めて行うものであり、受信側で各チャネルごとの合成電気信号から信号（２）を抽出する方法は、各チャネルごとの合成電気信号を、それぞれ前記送信側のフィルタとほぼ等しい遮断周波数のフィルタを通過させてその出力から信号（２）を抽出するように構成したものである。
【００１２】
請求項３の発明は、可聴音信号と情報信号とを送信側から伝送路を介して受信側に伝達する情報伝達方法において、それぞれ可聴音信号（１）を伝送する２つのチャネルを設け、送信側では、信号（１）を各チャネルごとにローパスフィルタとハイパスフィルタとに同時に入力し、両ハイパスフィルタを通過した２チャネルの信号を合成し、該合成した信号を利得制御可能な２つの増幅器に入力し、該２つの増幅器の利得を、機械を動作させる機械動作信号（２）に応じて、相補的に制御した後、相補的に制御した２つの出力信号とローパスフィルタを通過した２チャネルの信号とをそれぞれ電気的に合成し、それぞれ電気的に合成された合成電気信号を伝送路に送出し、受信側では、該伝送路から前記合成電気信号を受信し、受信した前記合成電気信号を各チャネルごとに、それぞれ前記送信側のハイパスフィルタとほぼ等しい遮断周波数のハイパスフィルタに入力し、両ハイパスフィルタを通過した２チャネルの信号を比較し、その結果に応じて信号（２）を抽出し、抽出された信号（２）によって機械を動作させることを特徴とする情報伝達方法である。
【００１３】
請求項４の発明は、可聴音信号と情報信号とを送信装置から伝送路を介して受信装置に伝達する情報伝達装置において、それぞれ可聴音信号（１）を伝送する複数のチャネルにおける各チャネル上の可聴音信号（１）と機械を動作させる機械動作信号（２）とを各チャネルごとに電気的に合成する信号合成手段と、該信号合成手段の出力である合成電気信号を各チャネルごとに伝送路に送出する手段と、を備えた送信装置と、該伝送路から前記各チャネルごとの合成電気信号を受信する手段と、該合成電気信号から各チャネルごとに信号（２）を抽出する信号抽出手段と、該各チャネルごとに抽出された信号（２）について多数決判定を行う多数決論理部と、を備え、該多数決判定の結果で機械を動作させる受信装置と、から構成したことを特徴とする情報伝達装置である。
【００１４】
請求項５の発明は、請求項４に記載の情報伝達装置において前記送信装置における前記信号合成手段は、各チャネルごとに設けたフィルタと、信号（２）の２値の極性に応じて、可聴音信号（１）を該フィルタを通過させるか否かをチャネルごとに切替える手段と、を有し、前記受信装置における前記信号抽出手段は、各チャネルごとに設けた、それぞれ前記送信装置のフィルタとほぼ等しい遮断周波数のフィルタと、その出力から信号（２）を抽出する手段と、を有するものである。
【００１５】
請求項６の発明は、可聴音信号と情報信号とを送信装置から伝送路を介して受信装置に伝達する情報伝達装置において、それぞれ可聴音信号（１）を伝送する２つのチャネルにおける信号（１）を入力する各チャネルごとのローパスフィルタとハイパスフィルタと、該両ハイパスフィルタを通過した２チャネルの信号を合成する第１のミキサと、該合成した信号を入力する利得制御可能な２つの増幅器と、該２つの増幅器の利得を、機械を動作させる機械動作信号（２）に応じて、相補的に制御する増幅器制御信号生成部と、相補的に制御した２つの出力信号とローパスフィルタを通過した２チャネルの信号とをそれぞれ電気的に合成する第２のミキサと、それぞれ電気的に合成された合成電気信号を伝送路に送出する手段と、を備えた送信装置と、該伝送路から前記合成電気信号を受信する手段と、受信した前記合成電気信号を各チャネルごとに入力する、それぞれ前記送信装置のハイパスフィルタとほぼ等しい遮断周波数のハイパスフィルタと、該両ハイパスフィルタを通過した２チャネルの信号を比較して、その結果に応じて信号（２）を抽出する比較器と、を備え、抽出された信号（２）によって機械を動作させる受信装置と、から構成したことを特徴とする情報伝達装置である。
【００１６】
請求項７の発明は、可聴音信号と情報信号とを送信装置から伝送路を介して受信装置に伝達する情報伝達装置を構成する前記送信装置において、それぞれ可聴音信号（１）を伝送する複数のチャネルにおける各チャネル上の可聴音信号（１）と機械を動作させる機械動作信号（２）とを各チャネルごとに電気的に合成する信号合成手段と、該信号合成手段の出力である合成電気信号を各チャネルごとに伝送路に送出する手段と、を備え、該伝送路から前記各チャネルごとの合成電気信号を受信する手段と、該合成電気信号から各チャネルごとに信号（２）を抽出する信号抽出手段と、該各チャネルごとに抽出された信号（２）について多数決判定を行う多数決論理部と、を備え、該多数決判定の結果で機械を動作させる受信装置によって前記合成電気信号を受信される送信装置である。
【００１７】
請求項８の発明は、可聴音信号と情報信号とを送信装置から伝送路を介して受信装置に伝達する情報伝達装置を構成する前記受信装置において、それぞれ可聴音信号（１）を伝送する複数のチャネルにおける各チャネル上の可聴音信号（１）と機械を動作させる機械動作信号（２）とを各チャネルごとに電気的に合成する信号合成手段と、該信号合成手段の出力である合成電気信号を各チャネルごとに伝送路に送出する手段と、を備えた送信装置からの前記合成電気信号を受信する受信し、該伝送路から前記各チャネルごとの合成電気信号を受信する手段と、該合成電気信号から各チャネルごとに信号（２）を抽出する信号抽出手段と、該各チャネルごとに抽出された信号（２）について多数決判定を行う多数決論理部と、を備え、該多数決判定の結果で機械を動作させる受信装置である。
【００１８】
請求項９の発明は、請求項７記載の送信装置において、前記送信装置における前記信号合成手段は、各チャネルごとに設けたフィルタと、信号（２）の２値の極性に応じて、可聴音信号（１）を該フィルタを通過させるか否かをチャネルごとに切替える手段と、を有し、前記受信装置における前記信号抽出手段は、各チャネルごとに設けた、それぞれ前記送信装置のフィルタとほぼ等しい遮断周波数のフィルタと、その出力から信号（２）を抽出する手段と、を有するものである。
【００１９】
請求項１０の発明は、請求項８記載の受信装置において、前記送信装置における前記信号合成手段は、各チャネルごとに設けたフィルタと、信号（２）の２値の極性に応じて、可聴音信号（１）を該フィルタを通過させるか否かをチャネルごとに切替える手段と、を有し、前記受信装置における前記信号抽出手段は、各チャネルごとに設けた、それぞれ前記送信装置のフィルタとほぼ等しい遮断周波数のフィルタと、その出力から信号（２）を抽出する手段と、を有するものである。
【００２０】
請求項１１の発明は、可聴音信号と情報信号とを送信装置から伝送路を介して受信装置に伝達する情報伝達装置を構成する前記送信装置において、それぞれ可聴音信号（１）を伝送する２つのチャネルにおける信号（１）を入力する各チャネルごとのローパスフィルタとハイパスフィルタと、該両ハイパスフィルタを通過した２チャネルの信号を合成する第１のミキサと、該合成した信号を入力する利得制御可能な２つの増幅器と、該２つの増幅器の利得を、機械を動作させる機械動作信号（２）に応じて、相補的に制御する増幅器制御信号生成部と、相補的に制御した２つの出力信号とローパスフィルタを通過した２チャネルの信号とをそれぞれ電気的に合成する第２のミキサと、それぞれ電気的に合成された合成電気信号を伝送路に送出する手段と、を備え、該伝送路から前記合成電気信号を受信する手段と、受信した前記合成電気信号を各チャネルごとに入力する、それぞれ前記送信装置のハイパスフィルタとほぼ等しい遮断周波数のハイパスフィルタと、該両ハイパスフィルタを通過した２チャネルの信号を比較して、その結果に応じて信号（２）を抽出する比較器と、を備え、抽出された信号（２）によって機械を動作させる受信装置によって前記合成電気信号を受信される送信装置である。
【００２１】
請求項１２の発明は、可聴音信号と情報信号とを送信装置から伝送路を介して受信装置に伝達する情報伝達装置を構成する前記受信装置において、それぞれ可聴音信号（１）を伝送する２つのチャネルにおける信号（１）を入力する各チャネルごとのローパスフィルタとハイパスフィルタと、該両ハイパスフィルタを通過した２チャネルの信号を合成する第１のミキサと、該合成した信号を入力する利得制御可能な２つの増幅器と、該２つの増幅器の利得を、機械を動作させる機械動作信号（２）に応じて、相補的に制御する増幅器制御信号生成部と、相補的に制御した２つの出力信号とローパスフィルタを通過した２チャネルの信号とをそれぞれ電気的に合成する第２のミキサと、それぞれ電気的に合成された合成電気信号を伝送路に送出する手段と、を備えた送信装置からの前記合成電気信号を受信し、該伝送路から前記合成電気信号を受信する手段と、受信した前記合成電気信号を各チャネルごとに入力する、それぞれ前記送信装置のハイパスフィルタとほぼ等しい遮断周波数のハイパスフィルタと、該両ハイパスフィルタを通過した２チャネルの信号を比較して、その結果に応じて信号（２）を抽出する比較器と、を備え、抽出された信号（２）によって機械を動作させる受信装置である。
【００２２】
【発明の実施の形態】
図１は本発明の基本的構成を説明する図であって、方法としての発明に対しては、該方法を実施するための装置の構成の例、装置としての発明に対しては、当該装置の構成例として位置付けられる。このことは以降に説明する他の図の場合についても同様である。
【００２３】
同図の数字符号１は可聴音信号、１−１〜１−３はチャネル、２は信号、３は合成音電気信号、４−１〜４−３は増幅器、５−１〜５−３はスピーカ、６は合成装置、６−１〜６−３は合成部、７は受信装置、８は抽出装置、９は機械、１０は伝送路、１１は人間を表している。
【００２４】
同図において、チャネル１−１〜１−３上の各可聴音信号は合成装置６の合成部６−１〜６−３において、それぞれ信号２と合成され、合成音電気信号３となる。該合成音電気信号３は、増幅器４−１〜４−３で増幅されスピーカ５−１〜５−３から音響として出力される。人間１１はこれを聞くことができる。
【００２５】
さらに、該合成音電気信号３は、伝送路１０に送出される。受信装置７は、該合成音電気信号３を受信して、その中から信号２を抽出し、該信号２に基づいて機械９を動作させる。よって、人間、または動植物が聞くことができる音（可聴音信号）と、同時にそれに付随した情報信号を容易に確実に伝達するができる。
【００２６】
本例では、前述のように、合成音電気信号３を、増幅器４−１〜４−３で増幅してスピーカ５−１〜５−３から音響として出力しているが、各チャネル上の合成前の可聴音信号をそのまま増幅してスピーカから出力するようにしても良い。
【００２７】
しかし、本例のように合成音電気信号３を、増幅器で増幅してスピーカから出力するようにすれば、この合成音電気信号の音響出力マイクロホンなどで受けて、その出力から信号２を抽出することも可能なので応用の範囲が広くなる。
【００２８】
図２は本発明の実施の形態の第１の例の合成装置の構成を示す図である。同図において、数字符号１−１〜１−５はチャネル、３，３−１〜３−５は合成音電気信号、１２−１〜１２−５はローパスフィルタ（図では略号にてＬＰＦと記載）、１３−１〜１３−５は切替スイッチ（図ではＳ１〜Ｓ５と表示）、１４は信号２／スイッチ動作信号変換器を表している。
【００２９】
同図の信号２／スイッチ動作信号変換器１４は、信号２が入力されると、これをスイッチ動作信号に変換し、これを切替スイッチ１３−１〜１３−５（Ｓ１〜Ｓ５）に与える。該信号を受信した該切替スイッチ１３−１〜１３−５は予め定められた設定に従って、切替動作を行う。
【００３０】
信号２の値と切替スイッチの動作の関係の例を図３に示す。この例では、（ａ）に示すように、合成音電気信号で“０”を送信するときには、切替スイッチＳ１，Ｓ３，Ｓ５がローパスフィルタ側に接続され、合成音電気信号で“１”を送信するときには、切替スイッチＳ２，Ｓ４，が、ローパスフィルタ側に接続される。同図（ｂ）は、このときの信号２と切替スイッチの動作との関係を示している。
【００３１】
図４は本発明の実施の形態の第１の例の抽出装置の構成を示す図である。同図において、数字符号３，３−１〜３−５は合成音電気信号、１５−１〜１５−５はハイパスフィルタ（図では略号にてＨＰＦと記載）、１６−１〜１６−５はエネルギ検出器、１７−１〜１７−５は閾値処理部、１８は多数決論理部を表している。
【００３２】
先に説明したように、図２で示した合成装置側では、信号２の“０”あるいは“１”に応じて可聴音信号をローパスフィルタを通すか、そのまま出力するかのように制御している。従って、合成音電気信号をハイパスフィルタを通して、その中の周波数成分を分析すれば、それが合成装置側でローパスフィルタを通したか、そのまま出力されたかの識別ができる。
【００３３】
すなわち、一定値以上の周波数成分が含まれていれば、その区間は、合成装置側でローパスフィルタを通さないで、そのまま出力されたものであることが分かる。そして、伝送すべき信号２の“０”あるいは“１”に応じてチャネルごとにローパスフィルタを通すか、信号をそのまま出力するかを定めているので、上記識別結果から、抽出された信号２が“０”であるか、“１”であるかの判定ができる。
【００３４】
上記ハイパスフィルタ１５−１〜１５−５の遮断周波数は、図２の合成装置のローパスフィルタ１２−１〜１２−５の遮断周波数と、ほぼ同じに設定すれば良い。再び図４に戻って、その動作を説明する。各チャネルの合成音電気信号３−１〜３−５は、それぞれハイパスフィルタ１５−１〜１５−５を通り、エネルギ検出器１６−１〜１６−５に入力される。
【００３５】
該エネルギ検出器１６−１〜１６−５では帯域内の周波数成分を分析して、その結果を閾値処理部１７−１〜１７−５によって判定する。閾値処理部１７−１〜１７−５の出力は、多数決論理部１８に入力され、該多数決論理部１８が各チャネルごとの閾値処理部１７−１〜１７−５の出力について、多数決判定を行い、信号２の“０”あるいは“１”の判定を行って、その結果を出力する。
【００３６】
本例では複数のチャネルに埋め込まれた信号を用い、それらについて多数決判定を行っているので、信号２をより確実に伝送し、また、その極性をより正確に判定することができる。
【００３７】
図５は本発明の実施の形態の第２の例の合成装置の構成を示す図である。同図において、数字符号２１−１，２１−２は可聴音信号、３は合成音電気信号、２２−１，２２−２はローパスフィルタ（図では略号にてＬＰＦと記載）、２３−１，２３−２はハイパスフィルタ（図では略号にてＨＰＦと記載）、２４，２６−１，２６−２はミキサ（図では略号にてＭＩＸと記載）、２７は増幅器制御信号生成部を表している。
【００３８】
この例では、可聴音信号２１−１，２１−２は、それぞれステレオの左チャネル信号、右チャネル信号である。同図において、ハイパスフィルタ２３−１を通った左チャネル信号２１−１と、ハイパスフィルタ２３−２を通った右チャネル信号２１−２とはミキサ２４で合成され、更に、増幅器２５−１，２５−２に入力される。
【００３９】
増幅器２５−１の出力は、ローパスフィルタ２２−１を通った左チャネル信号２１−１と、ミキサ２６−１によって合成され、LeftE 信号となる。一方、増幅器２５−２の出力は、ローパスフィルタ２２−２を通った左チャネル信号２１−２と、ミキサ２６−２によって合成され、RightE信号となる。LeftE
信号とRightE信号とによって合成音電気信号３が形成される。
【００４０】
増幅器２５−１，２５−２は、信号２の“０”又は“１”の値によって、増幅器制御信号生成部２７によって利得が制御される。例えば、信号２が“０”のとき増幅器２５−１の利得は信号２が“１”のときより２０dB低くなるように制御される。一方、信号２が“１”のとき増幅器２５−２の利得は信号２が“０”のときより２０dB低くなるように制御される。
【００４１】
図６は本発明の実施の形態の第２の例の抽出装置の構成を示す図である。同図において、数字符号２８−１，２８−２はハイパスフィルタ、２９は比較器を表している。ハイパスフィルタ２８−１，２８−２の遮断周波数は、図５のハイパスフィルタ２３−１、ハイパスフィルタ２３−２１の遮断周波数と同一に設定しておく。
【００４２】
ハイパスフィルタ２８−１，２８−２の出力は比較器２９で比較され、その大小によって“０”又は“１”と判定され、信号２として出力される。この場合には、前述のように合成器側で信号２が“０”のとき増幅器２５−１の利得を信号２が“１”のときより２０dB低くなるように制御し、一方、信号２が“１”のとき増幅器２５−２の利得を信号２が“０”のときより２０dB低くなるように制御している。
【００４３】
従って、図６のハイパスフィルタ２８−１の出力が、ハイパスフィルタ２８−２の出力より大であれば、信号２は“１”であり、ハイパスフィルタ２８−２の出力が、ハイパスフィルタ２８−１の出力より大であれば、信号２は“０”である。出力された信号２（“０”あるいは“１”）はコマンドとして機械の制御部に与えられ、該制御部で機械動作信号に変換されて機械を動作させる。
【００４４】
【発明の効果】
以上説明したように、本発明によれば、従来の制御信号を可聴音信号とともにおくるシステムに比べ、全体の構成を単純で、かつ経済的なものと成し得る利点がある。また、一つの合成音に信号を埋め込んで用いる方式に比して、より高い安定度で、精度の良い２値信号を送信することができる。
【図面の簡単な説明】
【図１】  本発明の基本的構成を説明する図である。
【図２】  本発明の実施の形態の第１の例の合成装置の構成を示す図である。
【図３】  信号２の値と切替スイッチの動作の関係の例を示す図である。
【図４】  本発明の実施の形態の第１の例の抽出装置の構成を示す図である。
【図５】  本発明の実施の形態の第２の例の合成装置の構成を示す図である。
【図６】  本発明の実施の形態の第２の例の抽出装置の構成を示す図である。
【符号の説明】
１，２１−１，２１−２      可聴音信号
１−１〜１−５      チャネル
２      信号
３，３−１〜３−５      合成音電気信号
４−１〜４−３      増幅器
５−１〜５−３      スピーカ
６      合成装置
７      受信装置
８      抽出装置
９      機械
１０    伝送路
１１    人間
１２−１〜１２−５，２２−１，２２−２      ローパスフィルタ
１３−１〜１３−５      切替スイッチ
１４      信号２／スイッチ動作信号変換器
１５−１〜１５−５，２３−１，２３−２、２８−１，２８−２      ハイパスフィルタ
１６−１〜１６−５      エネルギ検出器
１７−１〜１７−５      閾値処理部
１８      多数決論理部
２４，２６−１，２６−２      ミキサ
２７      増幅器制御信号生成部
２９      比較器
【図１】
0003808678.tif 000002
【図２】
0003808678.tif 000003
【図３】
0003808678.tif 000004
【図４】
0003808678.tif 000005
【図５】
0003808678.tif 000006
【図６】
0003808678.tif 000007